(57)【要約】【課題】構成が簡易であって、充放電中に系内で発生する気泡が集合して電極に付着することを抑制できる空気電池を提供する。【解決手段】空気極層と、負極層と、空気極層及び負極層の間で金属イオンの伝導を担う電解液が収容される電解液層と、を有し、電解液層内で気泡が集合することを抑制する気泡集合抑制手段が備えられている、空気電池とする。【選択図】図１
2010103064.tif 000002
【特許請求の範囲】
【請求項１】
空気極層と、負極層と、前記空気極層及び前記負極層の間でイオンの伝導を担う電解液が収容される電解液層と、を有し、
前記電解液層内で気泡が集合することを抑制する気泡集合抑制手段が備えられている、空気電池。
【請求項２】
前記気泡集合抑制手段に、前記電解液層内で前記電解液を攪拌させる攪拌手段が含まれる、請求項１に記載の空気電池。
【請求項３】
前記気泡集合抑制手段に、前記電解液層の外部に備えられたリザーブタンクと、前記リザーブタンク及び前記電解液層の間で前記電解液を循環させる電解液循環手段と、が含まれる、請求項１又は２に記載の空気電池。
【請求項４】
前記電解液循環手段に、前記リザーブタンク及び前記電解液層の間で前記電解液を流通させる電解液流通路が備えられ、前記電解液流通路に、前記気泡を微細化させるフィルターが備えられる、請求項３に記載の空気電池。
【請求項５】
前記気泡集合抑制手段に、前記電解液層に振動を伝達する振動伝達手段が含まれる、請求項１〜４のいずれかに記載の空気電池。
【請求項６】
外部に振動促進部材が装着されている、請求項５に記載の空気電池。
【発明の詳細な説明】
【技術分野】
【０００１】
本発明は、系内で生じる気泡が集合して電極に付着することを抑制できる空気電池に関する。
【背景技術】
【０００２】
空気電池は、酸素を正極活物質とする電池であり、放電時には酸素を含む空気を外部から取り込んで用いる。そのため、正極および負極の活物質を電池内に有する一般的な電池に比べて、電池容器内に占める負極活物質の割合を大きくすることが可能である。したがって、原理的に放電できる電気容量が大きく、小型化や軽量化が容易である。また、正極活物質として用いる酸素の酸化力は強力であるため、電池起電力が比較的高い。さらに、酸素は資源的な制約がなくクリーンな材料であるという特徴も有するため、空気電池は環境負荷が小さい。このように、空気電池は多くの利点を有しており、携帯機器用電池、電気自動車用電池、ハイブリッド車用電池、燃料電池自動車用電池などへの利用が期待されている。
【０００３】
このような空気電池に関する技術はこれまでにいくつか開示されており、例えば、特許文献１には、鉛直方向に配置した空気極を電解液中に浸漬し、ポンプにより電解液および空気を循環あるいは供給することで、空気を空気極と接触させて電気化学反応を起こさせることを特徴とする空気電池に関する技術が開示されている。
【特許文献１】特開平４−１５４０５５号公報
【発明の開示】
【発明が解決しようとする課題】
【０００４】
従来の空気電池を用いて耐久評価を行ったところ、充放電を繰り返すうちに急激な放電容量の低下が起こった。耐久評価前の内部抵抗が約３００Ωであったのに対して、急激な放電容量の低下が起こった後の内部抵抗は約３００００Ωとなっており、１００倍もの増大が確認された。また、急激な放電容量の低下が起こった後の空気電池を解体したところ、空気極下に大きな気泡が確認された。この気泡を取り除いた後には内部抵抗が再び３００Ω程度に減少したことから、放電容量の急激な低下の主要因は、空気極下の気泡の存在による内部抵抗の増大であることが明らかになった。
【０００５】
このような気泡は、電極を略水平に配置した場合に問題となる。気泡は重力との関係により電極表面を覆うように存在し、電解液が電極へ供給されることを阻害するためである。したがって、上記特許文献１に開示されている空気電池のように、電極を鉛直方向に配置した場合には問題となり難い。しかし、上記特許文献１に開示されている空気電池は構成が複雑である。
【０００６】
そこで本発明は、構成が簡易であって、充放電中に系内に発生する気泡が集合して電極に付着することを抑制できる空気電池を提供することを課題とする。
【課題を解決するための手段】
【０００７】
上記課題を解決するために、本発明は以下の手段をとる。すなわち、
本発明は、空気極層と、負極層と、空気極層及び負極層の間でイオンの伝導を担う電解液が収容される電解液層と、を有し、電解液層内で気泡が集合することを抑制する気泡集合抑制手段が備えられている、空気電池である。
【０００８】
上記本発明の空気電池において、気泡集合抑制手段に、電解液層内で電解液を攪拌させる攪拌手段が含まれることが好ましい。電解液層内で電解液を攪拌させることで、電解液層内で気泡集合して電極に付着することを抑制できるためである。該攪拌手段は電解液層内で電解液を攪拌することができるものあり、空気電池を使用中の環境に耐え得るものであれば特に限定されない。具体的には、例えば、磁力有する攪拌子を電解液層内に配置して、電解液層外から回転する磁界で攪拌子に動力を伝達するマグネチックスターラーや、棒状、板状、プロペラ状などの攪拌子を電解液層内に配置し、電解液層外から回転軸を介して攪拌子に動力を伝達するメカニカルスターラーを用いることができる。
【０００９】
上記本発明の空気電池において、気泡集合抑制手段に、電解液層の外部に備えられたリザーブタンクと、リザーブタンク及び電解液層の間で電解液を循環させる電解液循環手段と、が含まれることが好ましい。電解液層の外部のリザーブタンク及び電解液層の間で電解液を循環させることで、電解液層内で気泡が集合することを抑制することができるためである。
【００１０】
気泡集合抑制手段にリザーブタンクと電解液循環手段とが含まれる形態の上記本発明の空気電池において、電解液循環手段に、リザーブタンク及び電解液層の間で電解液を流通させる電解液流通路が備えられ、電解液流通路に、気泡を微細化させるフィルターが備えられることが好ましい。かかる形態とすることによって、リザーブタンク及び電解液層の間で電解液が循環する際に、気泡を微細化することができるためである。該フィルターは、電解液を通すことができ、空気電池を使用中の環境に耐え得るものであれば特に限定されない。
【００１１】
本発明の空気電池において、気泡集合抑制手段に、電解液層に振動を伝達する振動伝達手段が含まれることが好ましい。電解液層に振動を伝達させることによって、気泡が集合して電極に付着することを抑制できることができるためである。振動伝達手段は電解液層に振動を伝達することができるものであれば特に限定されない。具体的には、例えば、空気電池を自動車に搭載した場合には、自動車の減速時や加速時に生じる振動を空気電池に伝えられるように車体と空気電池とを固定する固定部材などが考えられる。また、超音波などによって振動を伝達させる手段も考えられる。
【００１２】
気泡集合抑制手段に振動伝達手段が含まれる形態の上記本発明の空気電池において、外部に振動促進部材が装着されていることが好ましい。かかる形態とすることによって、電解液層に振動をより多く伝えることができるためである。振動促進部材としては、バネなどの弾性部材が考えられる。
【発明の効果】
【００１３】
本発明によれば、構成が簡易であって、充放電中に系内で発生する気泡が集合して電極に付着することを抑制できる空気電池を提供することができる。
【発明を実施するための最良の形態】
【００１４】
以下、本発明の空気電池について詳細に説明する。
【００１５】
本発明の空気電池は、空気極層と、負極層と、空気極層及び負極層の間で金属イオンの伝導を担う電解液が収容される電解液層と、を有し、さらに、電解液層内で気泡が集合することを抑制する気泡集合抑制手段を備えている。
【００１６】
本発明の空気電池によれば、充放電中に系内で発生する気泡が集合することを抑制する気泡集合抑制手段が備えられているため、繰り返し充放電を行った際に気泡が集合して電極に付着することを抑制できる。したがって、繰り返し充放電を行った際に起こる急激な放電容量の低下を防止することができる。以下に本発明の空気電池の具体的な実施形態を例示し、詳しく説明する。
【００１７】
１．第一実施形態
図１は、本発明の空気電池の一つの実施形態例である空気電池１０の一部を概略的に示す断面図である。
【００１８】
図１に示すように、空気電池１０は、空気極層１２と、負極層１４と、空気極層１２及び負極層１４の間に介在する電解液層１３とを有し、さらに、気泡集合抑制手段である攪拌手段１７を備えている。攪拌手段１７は、電解液層１３内に設置された攪拌子１６及び攪拌子１６に動力を伝達する動力伝達手段１５からなる。空気電池１０は、放電時に、空気極層１２の外側に備えられた酸素層１１（または外部の空気）から酸素を取り込んで用いる。以下、空気電池１０について、構成ごとに説明する。
【００１９】
＜攪拌手段１７＞
攪拌手段１７は、電解液層１３の外側に設置された動力伝達手段１５および電解液層１３の内側に設置された攪拌子１６からなる。攪拌子１６は、空気電池１０を使用中の環境に耐え得るものであれば、特に限定されない。
【００２０】
攪拌手段１７がマグネチックスターラーであった場合、動力伝達手段１５はマグネチックスターラー本体であり、攪拌子１６には棒磁石をテフロン（登録商標）などで封止したものを用いることができる。マグネチックスターラー本体にはドライブ部が備えられ、該ドライブ部では、モーターで磁石を回転させることができる。したがって、マグネチックスターラー本体のドライブ部においてモーターで磁石を回転させることにより、電解液層１３の内側に設置された攪拌子１６が回転し、電解液層１３内の電解液を攪拌させることができる。このようにマグネチックスターラーは、密閉された容器内での攪拌を容易に行えるため好ましい。
【００２１】
また、攪拌手段１７がメカニカルスターラーであった場合、動力伝達手段１５は回転軸及びその回転軸を回転させる動力源から構成され、攪拌子１６は、棒状、板状、プロペラ状などの形状の部材を用いることができる。この場合、電解液層１３内に配置された攪拌子１６には回転軸を介して動力が伝達され、電解液層１３内の電解液を攪拌させることができる。
【００２２】
＜空気極層１２＞
次に、空気極層１２について説明する。空気極層１２には導電性材料が含有されている。また、空気極層１２の内部又は外面に当接して、空気極層１２の集電を行う空気極集電体（不図示）が設けられる。
【００２３】
空気極層１２に含有される導電性材料は、導電性を有するものであれば特に限定されるものではない。具体的には、例えば、炭素材料等を挙げることができる。さらに、炭素材料は、多孔質構造を有するものであっても良く、多孔質構造を有しないものであっても良い。ただし、本発明においては、多孔質構造を有するものであることが好ましい。比表面積が大きく、多くの反応場を提供することができるからである。
【００２４】
多孔質構造を有する炭素材料としては、具体的にはメソポーラスカーボン等を挙げることができる。一方、多孔質構造を有しない炭素材料としては、具体的にはグラファイト、アセチレンブラック、カーボンナノチューブおよびカーボンファイバー等を挙げることができる。
【００２５】
空気極層１２における導電性材料の含有量としては、例えば１０質量％〜９９質量％の範囲内であることが好ましい。導電性材料の含有量が少なすぎると、反応場が減少し、電池容量の低下が生じる可能性があり、導電性材料の含有量が多すぎると、相対的に触媒の含有量が減り、充分な触媒機能を発揮できない可能性があるため、材料の密度・体積に応じて適宜対応することが好ましい。
【００２６】
本発明において、導電性材料は、触媒を担持していることが好ましい。電極反応がよりスムーズに行われるからである。上記触媒としては、例えばコバルトフタロシアニンおよび二酸化マンガン等を挙げることができる。空気極層における触媒の含有量としては、例えば１質量％〜９０質量％の範囲内であることが好ましい。触媒の含有量が少なすぎると、充分な触媒機能を発揮できない可能性があり、触媒の含有量が多すぎると、相対的に導電性材料の含有量が減り、反応場が減少し、電池容量の低下が生じる可能性があるため、組み合わせる導電材料に応じて適宜決定することが好ましい。
【００２７】
空気極層１２は、少なくとも導電性材料を含有してれば良いが、さらに、導電性材料を固定化する結着材を含有することが好ましい。結着材としては、例えばポリフッ化ビニリデン（ＰＶｄＦ）、ポリテトラフルオロエチレン（ＰＴＦＥ）等を挙げることができる。空気極層における結着材の含有量としては、特に限定されるものではないが、例えば４０質量％以下、中でも１質量％〜１０質量％の範囲内であることが好ましい。
【００２８】
空気極層１２の厚さは、空気電池１０の用途等により異なるものであるが、例えば２μｍ〜５００μｍの範囲内、中でも５μｍ〜３００μｍの範囲内であることが好ましい。
【００２９】
また、上述したように、空気極層１２の内部又は外面に当接して、空気極集電体が設けられる。空気極集電体は空気極層１２の集電を行う機能を有するものである。空気極集電体の材料としては、導電性を有するものであれば特に限定されるものではない。具体的には、例えば、ステンレス鋼、ニッケル、アルミニウム、鉄、チタン、カーボン等を挙げることができる。このような空気極集電体の形状としては、例えば箔状、板状およびメッシュ（グリッド）状等を挙げることができる。中でも、本発明においては、空気極集電体の形状がメッシュ状であることが好ましい。集電効率に優れているからである。この場合、通常、空気極層１２の内部にメッシュ状の空気極集電体が配置される。さらに、空気電池１０は、メッシュ状の空気極集電体により集電された電荷を集電する別の空気極集電体（例えば箔状の集電体）を有していても良い。また、本発明においては、後述する電池ケースが空気極集電体の機能を兼ね備えていても良い。
【００３０】
＜負極層１４＞
次に、負極層１４について説明する。負極層１４には、負極活物質が含有されている。また、負極層１４の内部又は外面に当接して、負極層１４の集電を行う負極集電体（不図示）が当接して設けられる。
【００３１】
負極層１４に含有される負極活物質としては、一般的な空気電池の負極活物質を用いることができ、特に限定されるものではない。なお、空気電池１０がリチウム空気二次電池である場合、負極活物質はＬｉイオンを吸蔵・放出することができるものである。具体的には、例えば、金属リチウム、リチウム合金、金属酸化物、金属硫化物、金属窒化物、及びグラファイト等の炭素材料等を挙げることができる。これらの中でも金属リチウム及び炭素材料が好ましく、高容量化の観点から金属リチウムがより好ましい。
【００３２】
負極層１４は少なくとも負極活物質を含有していれば良いが、必要に応じて負極活物質の導電性を向上させる導電性材料や負極活物質を固定化する結着材を含有していても良い。導電性材料および結着材の種類、使用量等については、上述した空気極層１２に用いられるものと同様であるので、ここでの説明は省略する。
【００３３】
また、上述したように、負極層１４の内部又は外面に当接して、負極集電体が設けられる。負極集電体は、負極層１４の集電を行う機能を有するものである。負極集電体の材料としては、導電性を有するものであれば特に限定されるものではない。具体的には、例えば、銅、ステンレス鋼、ニッケル等を挙げることができる。このような負極集電体の形状としては、例えば箔状、板状およびメッシュ（グリッド）状等を挙げることができる。本発明においては、後述する電池ケースが負極集電体の機能を兼ね備えていても良い。
【００３４】
＜電解液層１３＞
次に、電解液層１３について説明する。電解液層１３には、空気極層１２および負極層１４の間で金属イオンの伝導を担う電解液が収容される。電解液の形態は、金属イオン伝導性を有するものであれば特に限定されるものではなく、例えば、非水電解液を挙げることができる。
【００３５】
本発明に用いられる非水電解液の種類は、伝導する金属イオンの種類に応じて、適宜選択することが好ましい。例えば、リチウム空気電池の非水電解液は、通常、リチウム塩および有機溶媒を含有する。上記リチウム塩としては、例えばＬｉＰＦ６、ＬｉＢＦ４、ＬｉＣｌＯ４およびＬｉＡｓＦ６等の無機リチウム塩；およびＬｉＣＦ３ＳＯ３、ＬｉＮ（ＣＦ３ＳＯ２）２、ＬｉＮ（Ｃ２Ｆ５ＳＯ２）２、ＬｉＣ（ＣＦ３ＳＯ２）３等の有機リチウム塩等を挙げることができる。上記有機溶媒としては、例えばエチレンカーボネート（ＥＣ）、プロピレンカーボネート（ＰＣ）、ジメチルカーボネート（ＤＭＣ）、ジエチルカーボネート（ＤＥＣ）、エチルメチルカーボネート（ＥＭＣ）、ブチレンカーボネート、γ−ブチロラクトン、スルホラン、アセトニトリル、１，２−ジメトキシメタン、１，３−ジメトキシプロパン、ジエチルエーテル、テトラヒドロフラン、２−メチルテトラヒドロフランおよびこれらの混合物等を挙げることができる。また、上記有機溶媒は、酸素溶解性が高い溶媒であることが好ましい。溶存した酸素を効率良く反応に用いることができるからである。非水電解液におけるリチウム塩の濃度は、例えば０．２ｍｏｌ／Ｌ〜３ｍｏｌ／Ｌの範囲内である。なお、本発明においては、非水電解液として、例えばイオン性液体等の低揮発性液体を用いても良い。
【００３６】
また、空気電池１０では、空気極層１２及び負極層１４の間に、非水電解液を保持するセパレーターを有することが好ましい。上記セパレーターとしては、例えばポリエチレン、ポリプロピレン等の多孔膜、および樹脂不織布、ガラス繊維不織布等の不織布等を挙げることができる。
【００３７】
＜空気電池１０＞
空気電池１０では、少なくとも上述した空気極層１２と負極層１４と電解液層１３とが電池ケース（不図示）に収めて用いられる。
【００３８】
空気電池１０に用いられる電池ケースの形状は特に限定されない。また、電池ケースは、大気開放型の電池ケースであっても良く、密閉型の電池ケースであっても良い。大気開放型の電池ケースは、大気と接触可能な電池ケースである。一方、電池ケースが密閉型電池ケースである場合は、密閉型電池ケースに、気体（空気）の供給管および排出管を設けることが好ましい。この場合、供給・排出する気体は、酸素濃度が高いことが好ましく、純酸素であることがより好ましい。また、放電時には酸素濃度を高くし、充電時には酸素濃度を低くすることが好ましい。
【００３９】
空気電池１０の種類としては、例えばリチウム金属空気電池、カリウム金属空気電池、マグネシウム空気電池、アルミニウム空気電池、カルシウム空気電池等を挙げることができる。中でも、リチウム金属空気電池が好ましい。また、空気電池１０の用途としては、例えば車両搭載用途、定置型電源用途、家庭用電源用途等を挙げることができる。
【００４０】
２．第二実施形態
図２は、本発明の空気電池の一つの実施形態である空気電池２０の一部を概略的に示す断面図である。図１に示した空気電池１０と同様の構成のものには同符号を付し、説明を省略する。したがって、空気電池２０については、気泡集合抑制手段３０についてのみ説明する。
【００４１】
＜気泡集合抑制手段３０＞
空気電池２０に備えられる気泡集合抑制手段３０は、リザーブタンク２７と、リザーブタンク２７及び電解液層１３の間で電解液を循環させる電解液循環手段からなる。電解液循環手段は、電解液層１３からリザーブタンク２７へと電解液が流通する往き流通路２５と、リザーブタンク２７から電解液層１３へと電解液が流通する戻り流通路２９と、リザーブタンク２７及び電解液層１３の間で電解液を循環させるポンプ（不図示）とからなる。また、往き流通路２５にバルブ２６を備え、戻り流通路２９にバルブ２８を備えることで、各流路を流れる電解液の流量を調整することができる。
【００４２】
空気電池２０では、電解液層１３内の電解液が、往き流通路２５を通ってリザーブタンク２７へと流れ、さらにリザーブタンク２７から戻り流通路２９を通って電解液層１３内へ戻るというように、電解液層１３の外部にあるリザーブタンク２７を介して循環される。このように電解液層１３内の電解液が循環させられるため、電解液層１３内の気泡は電解液とともに流され、気泡が集合することが抑制されるとともに、気泡が電極に付着することが抑制される。
【００４３】
また、往き流通路２５及び／又は戻り流通路２９内には、気泡を微細化させることができるフィルターが備えられることが好ましい。該フィルターは電解液を通すことができる程度の目を有し、空気電池を使用中の環境に耐え得るものであれば特に限定されない。
【００４４】
３．第三実施形態
さらに本発明の空気電池の他の実施形態について以下に説明する。この実施形態の説明では、本発明の特徴である気泡集合抑制手段についてのみ説明する。
【００４５】
本発明の空気電池では、空気電池の外部からの振動を電解液層に伝達する振動伝達手段を、気泡集合抑制手段とすることができる。電解液層に振動を伝達させることによって、気泡が集合して電極に付着することを抑制できる。
【００４６】
振動伝達手段は電解液層に振動を伝達することができるものであれば特に限定されない。具体的には、例えば、本発明の空気電池を自動車に搭載した場合には、その自動車の減速時や加速時に生じる振動を本発明の空気電池に伝えられるように車体と本発明の空気電池とを固定する固定部材などが考えられる。また、超音波などによって本発明の空気電池の外部から電解液層に振動を伝達させる手段も考えられる。
【００４７】
このように気泡集合抑制手段に振動伝達手段が含まれる形態の場合、本発明の空気電池の外部に振動促進部材が装着されていることが好ましい。かかる形態とすることによって、電解液層に振動をより多く伝えることができるためである。振動促進部材としては、バネなどの弾性部材が考えられる。
【００４８】
これまでの本発明の空気電池の説明において、複数の気泡集合抑制手段について説明したが、これらは単独で用いても良く、２以上のものを同時に用いても良い。
【００４９】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００５０】
以下、実施例を参照しつつ、本発明についてさらに説明する。
【００５１】
（実施例）
本実施例においては、リチウム空気二次電池を作製した。なお電池の組み立てはアルゴンボックス内で行った。また、ガラスビーカーセルからなる電池ケースおよび１Ｌサイズの密閉容器を用いた。
【００５２】
まず、電池ケースに、金属Ｌｉ（本状金属社製、φ１８ｍｍ、厚さ０．２５ｍｍ）を配置した。次に、金属Ｌｉの上にガラス繊維からなるセパレータ（φ１８ｍｍ、厚さ１．０μｍ）を配置した。次に、セパレーターの上から、プロピレンカーボネート（ＰＣ、キシダ化学製）中にＬｉＣｌＯ４（キシダ化学製）を濃度１Ｍで溶解させた非水電解液を４．８ｍＬ注液した。その後、さらに、攪拌子を投入した。
【００５３】
次に、カーボンブラック２５質量部と、ＭｎＯ２４２質量部と、ポリフッ化ビニリデン（ＰＶＤＦ）３３質量部とを有する組成物を、カーボンペーパー（空気極集電体、東レ社製、ＴＧＰ−Ｈ−０９０、φ１８ｍｍ、厚さ０．２８ｍｍ）上に、ドクターブレードにて塗布し、空気極層（φ１８ｍｍ、目付質量５ｍｇ）を形成した。次に、得られた空気極の空気極層を、セパレーターと対向させるように配置して封止し、評価用セルを得た。
【００５４】
下記評価を行う際には、気泡集合抑制手段として、マグネチックスターラーを用いた。攪拌子は１０ｒｐｍで回転させた。
【００５５】
（比較例）
気泡集合抑制手段が備えられないこと以外は、実施例と同様にして、評価用セルを得た。
【００５６】
＜評価＞
実施例の評価セルと比較例の評価セルについて、それぞれ充放電を２０サイクル行い、その後の直流抵抗を測定した。その結果を下記表１に示す。
【００５７】
【表１】
2010103064.tif 000003
【００５８】
実施例の評価セルでは、充放電後の直流抵抗の急激な上昇は確認されなかった。また、評価中に評価セルを目視で確認したが、電極を覆い隠す気泡の存在は確認できなかった。一方、比較例の評価セルでは直流抵抗の急激な上昇が確認された。また、評価中の評価セルを目視で確認すると、電極を覆い隠す気泡の存在が確認された。したがって、実施例の評価セルでは気泡集合抑制手段によって電解液層内の気泡が除去され、充放電後の内部抵抗の急激な上昇が防止されたと考えられる。
【図面の簡単な説明】
【００５９】
【図１】本発明の空気電池の一つの実施形態例の一部を概略的に示す断面図である。
【図２】本発明の空気電池の一つの実施形態例の一部を概略的に示す断面図である。
【符号の説明】
【００６０】
１０…空気電池
１１…酸素層
１２…空気極層
１３…電解液層
１４…負極層
１５…動力伝達手段
１６…攪拌子
１７…攪拌手段（気泡集合抑制手段）
２０…空気電池
２５…往き流通路
２６…バルブ
２７…リザーブタンク
２８…バルブ
２９…戻り流通路
３０…気泡集合抑制手段
【図１】
2010103064.tif 000004
【図２】
2010103064.tif 000005